(57)【要約】【課題】  制御部を構成する電装品の交換を容易にし、メンテナンス性を向上させることのできる負荷時タップ切換器の電動操作機構を提供する。【解決手段】  負荷時タップ切換器を駆動する機構部１３と、機構部１３と電気的に接続されて機構部１３を制御する制御部１６からなり、制御部１６を構成する各種電装品を、制御部１６から着脱可能なパネル１４上に集約して構成した。【選択図】        図２
2016157758.tif 000002
【特許請求の範囲】
【請求項１】
変圧器の励磁状態又は負荷がかかった状態で変圧器巻線のタップを切換える負荷時タップ切換器において、該負荷時タップ切換器を駆動する機構部と、該機構部と電気的に接続されて前記機構部を制御する制御部からなり、該制御部を構成する各種電装品を、制御部から着脱可能なパネル上に集約して構成したことを特徴とする負荷時タップ切換器の電動操作機構。
【請求項２】
前記パネルと前記制御部間は配線コネクタによって電気的に接続したことを特徴とする請求項１記載の負荷時タップ切換器の電動操作機構。
【請求項３】
変圧器の励磁状態又は負荷がかかった状態で変圧器巻線のタップを切換える負荷時タップ切換器において、該負荷時タップ切換器を駆動する機構部と、該機構部と電気的に接続されて前記機構部を制御する制御部からなり、該制御部を前記機構部から着脱可能に構成したことを特徴とする負荷時タップ切換器の電動操作機構。
【請求項４】
前記制御部と前記機構部間は配線コネクタによって電気的に接続したことを特徴とする請求項３記載の負荷時タップ切換器の電動操作機構。
【発明の詳細な説明】
【技術分野】
【０００１】
本発明は、制御部を構成する電装品の交換を容易にし、メンテナンス性を向上させた負荷時タップ切換器の電動操作機構に関する。
【背景技術】
【０００２】
従来から、変圧器巻線のタップを変圧器の負荷を切らないまま切り換えて、常時変圧比を調整し、送り出し電圧を一定に保つ負荷時タップ切換器は知られている（下記特許文献１参照）。
【先行技術文献】
【特許文献】
【０００３】
【特許文献１】特開平７−２０１６０８
【０００４】
上記負荷時タップ切換器は、図７に示すように、変圧器１０１内に取り付けられた、負荷電流の遮断を目的とする切換開閉器１０２と、その下部に位置するタップ選択器１０３から概略構成されており、変圧器上部に配置される横の駆動軸１０４と、該横の駆動軸１０４及びギヤボックス１０５を介して連結される縦の駆動軸１０６を介して、変圧器１０１の側面に配置される電動操作機構１０７に接続されている。
【０００５】
電動操作機構１０７は、該機構１０７を動作させる電磁開閉器１０８や、前記機構１０７の動作とともに駆動するタップ指示装置１０９や、タップの切換回数を記憶する図示しない記憶部や表示部、前記切換回数が規定回数に到達した場合にそれを判定し、その内容を表示等する判定部からなる監視装置１１０を備えて構成されている。
【０００６】
上記負荷時タップ切換器１１１によって変圧器巻線のタップを切換える場合は、変圧器１０１の側面に配置した電動操作機構１０７を駆動して、縦の駆動軸１０６からギヤボックス１０５を介して横の駆動軸１０４に動力を伝達し、負荷時タップ切換器１１１を駆動することによって実現する。
【発明の概要】
【発明が解決しようとする課題】
【０００７】
前述の通り、負荷時タップ切換器１１１の電動操作機構１０７は、変圧器巻線のタップ切換操作を制御するために、電磁開閉器１０８を始め各種電装品を備えている。これら電装品は定期的な交換が必要であり、交換作業の時間短縮や作業の簡素化が望まれる。
【０００８】
そこで、本発明は、各種電装品の交換時間を短縮でき、かつ、交換作業の負担を軽減できる負荷時タップ切換器の電動操作機構を提供する。
【課題を解決するための手段】
【０００９】
請求項１記載の発明は、変圧器の励磁状態又は負荷がかかった状態で変圧器巻線のタップを切換える負荷時タップ切換器の電動操作機構において、該負荷時タップ切換器を駆動する機構部と、該機構部と電気的に接続されて前記該機構部を制御する制御部からなり、該制御部を構成する各種電装品を、制御部から着脱可能なパネル上に集約して構成したことを特徴とする。
【００１０】
請求項２記載の発明は、請求項１記載の負荷時タップ切換器の電動操作機構において、前記パネルと前記制御部間は配線コネクタによって電気的に接続したことを特徴とする。
【００１１】
請求項３記載の発明は、変圧器の励磁状態又は負荷がかかった状態で変圧器巻線のタップを切換える負荷時タップ切換器の電動操作機構において、該負荷時タップ切換器を駆動する機構部と、該機構部と電気的に接続されて前記機構部を制御する制御部からなり、当該制御部を前記機構部から着脱可能に構成したことを特徴とする。
【００１２】
請求項４記載の発明は、請求項３記載の負荷時タップ切換器の電動操作機構において、前記制御部と前記機構部間は配線コネクタによって電気的に接続したことを特徴とする。
【発明の効果】
【００１３】
請求項１記載の発明によれば、定期的な交換が必要な各種電装品をパネル上に集約し、当該パネルを制御部と着脱自在にしたことによって、電装品の交換作業は、制御部からパネル毎取り外せばよく、電装品の定期交換作業が簡素化し、作業時間を短縮できるとともに作業負担を軽減できる。
【００１４】
請求項２記載の発明によれば、電装品を集約したパネルと制御部間を配線コネクタで接続しているので、電装品の交換時にパネルを制御部から取り外す作業は、配線コネクタを取り外すだけでよく、電装品の定期交換作業をより簡素化できる。
【００１５】
請求項３記載の発明によれば、機構部と電気的に接続される制御部毎取替えることができ、パネル上の電装品以外の制御部を構成する各種部品の交換作業を効率的に行うことができる。
【００１６】
請求項４記載の発明によれば、請求項３記載の発明による効果に加え、機構部から制御部を取り外す作業は、配線コネクタを取り外すだけでよく、制御部を構成する部品全ての定期交換作業を飛躍的に簡素化できる。
【図面の簡単な説明】
【００１７】
【図１】本発明の第１実施例に係る電動操作機構を変圧器に取り付けた状態を示す図である。
【図２】本発明の第１実施例に係る電動操作機構を示す図である。
【図３】本発明においてパネルと制御部間、又は機構部と制御部間を接続する配線コネクタを示す図である。
【図４】本発明の第２実施例に係る電動操作機構を変圧器に取り付けた状態を示す図である。
【図５】本発明の第２実施例に係る電動操作機構の機構部を示す図である。
【図６】本発明の第２実施例に係る電動操作機構の制御部を示す図である。
【図７】従来の負荷時タップ切換器の電動操作機構を変圧器に取り付けた状態を示す図である。
【発明を実施するための形態】
【００１８】
以下、本発明の実施の形態について図１乃至図６を用いて説明する。図１は本発明の第１実施例に係る負荷時タップ切換器１の電動操作機構２を変圧器３に取り付けた状態を示している。
【００１９】
第１実施例において、変圧器３に取り付けた負荷時タップ切換器１は、変圧器３の側面に取り付けた電動操作機構２によって駆動される。具体的には、電動操作機構２の動力が縦の駆動軸４からギヤボックス５を介して横の駆動軸６、更にはギヤボックス７を介して伝達され、負荷時タップ切換器１を駆動する。
【００２０】
電動操作機構２は、図２に示すように、縦の駆動軸４を駆動する駆動源としての電動機８と、電動機８と縦の駆動軸４間を連結するギヤボックス９と、電動機８の駆動に応じて接点を投入することにより、負荷時タップ切換器１によるタップの切換動作を検出するパイロットスイッチ１０やタップの上下限を検出するリミットスイッチ１１、及び、タップ表示部１２から構成される機構部１３と、例えば、操作スイッチや電磁接触器等の各種電装品を集約したパネル１４を配置して、パネル１４外に例えばヒータ１５を備えて構成される制御部１６から構成されている。
【００２１】
そして、操作者がパネル１４上の操作スイッチを操作することにより、機構部１３の電動機８を駆動し、ギヤボックス９を介して縦の駆動軸４からギヤボックス５、横の駆動軸６、ギヤボックス７を介して負荷時タップ切換器１を駆動し、変圧器巻線のタップを切換える。
【００２２】
また、本発明の第１実施例に係る電動操作機構２は、制御部１６とパネル１４間が図３に示す配線コネクタ１７ａ，１７ｂによって接続される。制御部１６側の配線コネクタ１７ａと、パネル１４側の配線コネクタ１７ｂは着脱自在に構成されているので、パネル１４上の各種電装品を交換する場合は、制御部１６側の配線コネクタ１７ａからパネル１４側の配線コネクタ１７ｂを取り外せばよく、作業負担が軽減し、作業時間を短縮することができる。
【００２３】
図４は本発明の第２実施例に係る負荷時タップ切換器の電動操作機構を示す図である。なお、図４において、図１に示す構成部品と同一部品は同一符号を付して説明する。図４において、変圧器３に取り付けた負荷時タップ切換器１は、変圧器３上部に取り付けた機構部１８と、これと配線用ケーブル１９で接続された制御部２０からなる電動操作機構２１によって駆動される。
【００２４】
機構部１８は図５に示すように負荷時タップ切換器１を駆動する駆動源としての電動機２２と、電動機２２の動力を負荷時タップ切換器１に伝達するギヤボックス２３と、負荷時タップ切換器１の動作状態から変圧器巻線のタップ切換位置を検出する位置検出装置２４を備えて構成されている。
【００２５】
なお、図５において、２５は負荷時タップ切換器１を手動操作するハンドル２６を連結するハンドル連結部であり、２７はタップ表示部、２８は負荷時タップ切換器１をハンドル２６で駆動する場合に、ギヤボックス２３と電動機２２の機械的連結を解除するクラッチである。
【００２６】
制御部２０は図６に示すように、カウンタ２９やタップ表示部３０やサーモスタット３１、ヒータ３２、及び、操作スイッチや電磁接触器等の各種電装品を集約したパネル３３を備えて構成されている。
【００２７】
そして、操作者がパネル３３上の操作スイッチを操作することにより、図４に示すように制御部２０と配線用ケーブル１９で電気的に接続された機構部１８の図５に示す電動機２２が駆動する。
【００２８】
電動機２２の駆動はギヤボックス２３を介して図４に示す負荷時タップ切換器１に伝達されこれを駆動し、負荷時タップ切換器１によって変圧器巻線のタップ切換えが行われる。
【００２９】
変圧器巻線のタップ切換位置は、機構部１８内の位置検出装置２４によって検出され、検出結果が図４に示す配線用ケーブル１９を介して制御部２０に出力される。これを受けた制御部２０はタップの切換え状態を把握し、機構部１８内の電動機２２等を制御する。
【００３０】
また、本発明の第２実施例に係る電動操作機構２１は、制御部２０とパネル３３間が図３に示す配線コネクタ１７ａ，１７ｂによって接続されている。つまり、制御部２０側の配線コネクタ１７ａと、パネル３３側の配線コネクタ１７ｂは着脱自在に構成されているので、パネル３３上の電装品を交換する場合は、制御部２０側の配線コネクタ１７ａからパネル３３側の配線コネクタ１７ｂを取り外すことにより、簡単に交換作業を実施することができる。
【００３１】
なお、図３に示す配線コネクタ１７ａを図４に示す機構部１８側に接続し、配線コネクタ１７ｂを制御部２０側に接続し、機構部１８から制御部２０を取り外すことにより、制御部２０全体を取替えて、制御部２０のメンテナンスを行うことも可能である。
【００３２】
なお、図２及び図５，図６は、機構部及び制御部の構成の一例を示すものであり、本発明の趣旨を逸脱しない範囲内で変更した機構部及び制御部の構成であっても本発明の技術的範囲に含まれることは勿論である。また、前記機構部１３，１８及び制御部１６，２０の取付位置についても、図１，図４に示す配置に限定されるものではないことは同様である。
【００３３】
以上説明したように、本発明の負荷時タップ切換器の電動操作機構は、制御部を構成する各種電装品をパネル上に集約して、このパネルを制御装置に配線コネクタによって接続することにより、制御部から着脱自在に構成するか、電動操作機構を構成する機構部と制御部を分離配置し、機構部と制御部間を配線コネクタで接続することで、着脱自在に構成することにより、制御部を構成する各種電装品の交換作業を簡素化し、作業時間の短縮及び作業負担を軽減することができる。
【産業上の利用可能性】
【００３４】
本発明は、定期交換が必要な各種電装品を備える各種電気機器に利用可能である。
【符号の説明】
【００３５】
１  負荷時タップ切換器
２，２１  電動操作機構
３  変圧器
４  縦の駆動軸
５，７，９，２３  ギヤボックス
６  横の駆動軸
８，２２  電動機
１０  パイロットスイッチ
１１  リミットスイッチ
１２，２７，３０  タップ表示部
１３，１８  機構部
１４，３３  パネル
１５，３２  ヒータ
１６，２０  制御部
１７ａ，１７ｂ  配線コネクタ
１９  配線用ケーブル
２４  位置検出装置
２５  ハンドル連結部
２６  ハンドル
２８  クラッチ
２９  カウンタ
３１  サーモスタット
【図１】
2016157758.tif 000003
【図２】
2016157758.tif 000004
【図３】
2016157758.tif 000005
【図４】
2016157758.tif 000006
【図５】
2016157758.tif 000007
【図６】
2016157758.tif 000008
【図７】
2016157758.tif 000009